【事件の表示】
　特願２０１５−　３２４０９号「調剤装置」拒絶査定不服審判事件〔平成２７年　５月２８日出願公開、特開２０１５−　９７８２２号〕について、次のとおり審決する。
【結　論】
　本件審判の請求は、成り立たない。
【理　由】
第１　手続の経緯
　本件出願は、平成１９年４月１０日の特許出願である特願２００７−１０３０９５号の一部を、平成２４年１１月７日に分割して新たな特許出願とした特願２０１２−２４５６４１号の一部を、平成２７年２月２３日にさらに分割して新たな特許出願としたものであって、平成２８年２月２４日付けで拒絶をすべき旨の査定がなされた。  
　これに対し、平成２８年４月２８日に該査定の取消を求めて本件審判の請求がされ、その後、同年１１月１４日付けで当審から拒絶の理由が通知され、平成２９年１月６日に意見書とともに手続補正書が提出され、同年２月２日付けで当審から再度拒絶の理由が通知され、同年３月２３日に意見書とともに手続補正書が提出されたものである。
第２　本願発明 
　本願の請求項１ないし３に係る発明は、上記平成２９年３月２３日付け手続補正書によって補正された特許請求の範囲の請求項１ないし３に記載された事項により特定されるとおりのものと認めるところ、その請求項１の記載は以下のとおりである。（以下請求項１に係る発明を「本願発明」という。） 
「　【請求項１】
　複数の錠剤カセットを搭載可能なカセット棚と、
　前記カセット棚に搭載された錠剤カセットから錠剤シートを取り出す取出手段と、
　前記取出手段によって前記錠剤カセットから取り出された錠剤シートの姿勢を制御する姿勢制御手段と、
　前記姿勢制御手段によって姿勢を制御された錠剤シートをカッティングするカッティング手段とを備え、
　前記姿勢制御手段は、前記取出手段とともに、前記カセット棚の各錠剤カセットに対して移動することを特徴とする調剤装置。」
第３　引用文献記載の発明又は事項 
　これに対して、当審での平成２９年２月２日付けの拒絶の理由に引用された、本件の出願日前に頒布された刊行物である特開２００７−５０８９３号公報（引用文献１）、及び、特開平４−２６９９６４号公報（引用文献２）には、以下の発明又は事項が記載されていると認められる。  
１　引用文献１
（１）引用文献１に記載された事項  
　引用文献１には、「所定物取り揃え装置及び方法」に関して、図面とともに、以下の事項が記載されている。なお、下線は当審で付したものである。
（ア）「【０００１】
　本発明は、所定数の所定物が連結状態で集合した全数連結集合体から、必要数の所定物を取り揃えるための
所定物取り揃え装置
（イ）
「【００１８】
　図２に示す
ＰＴＰ包装薬剤の全数連結集合体Ｐａ
（ウ）
「【００２１】
　
収納棚Ｓ
全数体収納部Ｓａ
（エ）
「【００２４】
　全数体収納部Ｓａからの全数連結集合体Ｐａの取り出し、端数体収納部Ｓｂからの端数連結集合体Ｐｂ又は所定物単体の取出、端数連結集合体Ｐｂ又は所定物単体の端数体収納部Ｓｂへの収納は、上下方向及び横方向に自在に移動し得る
チャック体Ｈ
（オ）
「【００２５】
　納棚Ｓの側方に、
切離用載置盤Ｃａ
縦切断刃Ｃｂ及び横切断刃Ｃｃからなる切離部Ｃ
（カ）
「【００３２】
　これらに基づき、
i) 
チャック体Ｈ
全数体収納部Ｓａから
全数連結集合体Ｐａを取り出す
ii) チャック体Ｈにより、所要の所定物についての端数体収納部Ｓｂから所要の端数連結集合体Ｐｂ又は所定物単体を取り出す
iii) 切離部Ｃにおいて、取り出した全数連結集合体Ｐａの１つまたは端数連結集合体Ｐｂから所要数の所定物を切離し、収納手段全数連結集合体Ｐａ又は端数連結集合体Ｐｂから所要数の所定物を切離した残りの端数連結集合体Ｐｂ又は所定物単体を、チャック体Ｈにより、その所定物についての端数体収納部Ｓｂに収納する
のうちi又はii或いは何れか２つ又は３つ全ての組み合わせを実行する。」
（キ）
「【００３３】
　
チャック体Ｈにより全数体収納部Ｓａから取り出された全数連結集合体Ｐａ
縦切断刃Ｃｂ及び横切断刃Ｃｃにより
切離
（ク）
「【００３４】
　
切離
所定姿勢で
載置し
（ケ）上記記載事項（オ）の「切離用載置盤Ｃａと」「縦切断刃Ｃｂ及び横切断刃Ｃｃからなる切離部Ｃ」については、上記記載事項（キ）に「チャック体Ｈにより全数体収納部Ｓａから取り出された全数連結集合体Ｐａ・・・縦切断刃Ｃｂ及び横切断刃Ｃｃにより・・・切離される。」とあり、また、上記記載事項（ク）に「切離の実行は、切離用載置盤Ｃａ上の所定位置に所定姿勢で全数連結集合体Ｐａ・・・を載置し・・・切離位置データに基づいて行う」とあることから、これらをまとめると、該「切離部Ｃ」については、「チャック体Ｈによって前記全数体収納部Ｓａから取り出され、所定姿勢で載置されたＰＴＰ包装薬剤の全数連結集合体Ｐａを、切離する切離部Ｃ」ということができる。
（２）引用文献１発明 
　そこで、引用文献１の上記記載事項（ア）ないし（ク）及び上記認定事項（ケ）を図面を参照しつつ技術常識を踏まえて整理すると、引用文献１には以下の発明が記載されていると認められる。（以下「引用文献１発明」という。）
「複数の全数体収納部Ｓａを搭載可能な収納棚Ｓと、
　前記収納棚Ｓに搭載された全数体収納部ＳａからＰＴＰ包装薬剤の全数連結集合体Ｐａを取り出すチャック体Ｈと、
　前記チャック体Ｈによって前記全数体収納部Ｓａから取り出され、所定姿勢で載置されたＰＴＰ包装薬剤の全数連結集合体Ｐａを切離する切離部Ｃとを備えた、所定物取り揃え装置。」
２　引用文献２
（１）引用文献２に記載された事項  
　引用文献２には、「調剤装置」に関して、図面とともに、以下の事項が記載されている。
（ア）
「【０００１】
【産業上の利用分野】本発明は
調剤装置
（イ）
「【０００９】図１において・・・（中略）・・・
【００１０】この「コ」の字形状のフレーム１００の対向する辺において、図示のように夫々設けられる
ケース棚１０５
錠剤ケース２００
（ウ）
「【００１３】次に、上述のケース棚１０５の互いに対向する側面上には、側面に沿うように図中のＸ、Ｙ矢印方向に駆動されるヘツド４００が夫々設けられている。このように
ヘツド４００
縦横に移動可能
上下方向に移動可能
【００１４】したがつて、ヘツド４００を上下方向に駆動するＹキヤリツジモータ３０１はＸＹキヤリツジ３００に搭載される一方、ＸＹキヤリツジ３００をＸ矢印方向に駆動するＸキヤリツジモータ３０５はフレーム１００の右側端部に固定されている。このようにケース棚１０５に沿うように縦横に移動されるヘツド４００には、後述するチヤツキング用の爪が設けられており、
ヘツド４００
錠剤ケース２００
上述した
ＰＴＰ錠剤を取り出し
（エ）
「【００１７】図中、フレーム１００の右側において中間高さ位置に設けられているカツター５００は、ＰＴＰ錠剤シ−トから上述した必要個数を切り取るために設けられるものであり、構成については後述するが図示のように５段のケース棚１０５で形成される側面に沿う位置に夫々１基が配設されている。このカツター５００の下方には上述の排出箱６０１が位置しており、カツター５００によつて切断された端数分の錠剤が排出箱６０１内に落下される構成となつている。」
（オ）
「【００２５】以上のように・・・（中略）・・・
（上下爪体の構成）図３中の（ａ）は上下爪体とＰＴＰ錠剤シ−トの外観斜視図であつて、上述のヘツド４００に設けられているチヤツキング用の下爪体４０１と右上爪体４１０並びに左上爪体４１２は、図中のＺ矢印方向に移動されてＰＴＰ錠剤シ−トＡの耳部２を上下から把持するようにしている。」
（カ）
「【００４７】・・・（中略）・・・
（ヘツドの構成）図７はヘツドの一部破断斜視図であつて、本図において、上述の
ＰＴＰ錠剤シート
回動駆動
（キ）
「【０１１２】ステップＳ５５７で
掴み直し
【０１１３】ステップＳ５７０では、実際に、残数の錠剤シートが上下爪体で把持され（掴まれ）、錠剤ケース（カラム）２００の残数収納部２０３から取り出される。そして、ステップＳ５７２に進む。一方、ステップＳ５３９で、カットが新しい錠剤シートから行われると判断された場合には、ステップＳ５４０で新しい錠剤シートが取り出され、ステップＳ５４２で、ヘッド４００が移動され、取り出された錠剤シートがカッター５００へと運ばれ、カッター原点に位置決めされる。ここでカッター原点に位置決めされるとは、錠剤シートの左右幅の中央線が縦刃５０１の真下に位置決めされ、錠剤シートのＺ方向の先端の縁が、横刃５０３の真下に位置決めされることを意味する。」
（２）引用文献２事項  
　引用文献２の上記記載事項（ア）ないし（キ）を技術常識を踏まえて整理すると、引用文献２には以下の事項が記載されていると認められる。（以下「引用文献２事項」という。）  
「複数の錠剤ケース２００を搭載可能なケース棚１０５と、
　前記ケース棚１０５に搭載された錠剤ケース２００からＰＴＰ錠剤シートを取り出すヘツド４００とを備える調剤装置において、
　前記ヘツド４００は、ヘツド４００によって前記錠剤ケース２００から取り出されたＰＴＰ錠剤シートを回転駆動や掴み直しをする手段を備え、
　前記ヘツド４００は、前記ケース棚１０５の各錠剤ケース２００に対して移動すること。」
第４　対比 
　本願発明と引用文献１発明とを対比すると、引用文献１発明の「全数体収納部Ｓａ」が本願発明の「錠剤カセット」に相当することは、その「ＰＴＰ包装薬剤」を収納するという機能に照らして明らかであり、以下同様にそれぞれの機能及び技術常識を踏まえれば、「収納棚Ｓ」は「カセット棚」に、「ＰＴＰ包装薬剤の全数連結集合体Ｐａ」は「錠剤シート」に、「チャック体Ｈ」は「取出手段」に、「切離する」は「カッティングする」に、「切離部Ｃ」は「カッティング手段」に、「所定物取り揃え装置」は「調剤装置」に相当することも明らかである。  
　次に、引用文献１発明の「チャック体Ｈによって前記全数体収納部Ｓａから取り出され、所定姿勢で載置されたＰＴＰ包装薬剤の全数連結集合体Ｐａを切離する切離部Ｃ」は、上記対応関係を踏まえ、「取出手段によって前記錠剤カセットから取り出され、所定姿勢で載置された錠剤シートをカッティングするカッティング手段」と言い改められるところ、
　これは、本願発明の「取出手段によって前記錠剤カセットから取り出された錠剤シートの姿勢を制御する姿勢制御手段と、前記姿勢制御手段によって姿勢を制御された錠剤シートをカッティングするカッティング手段」と、
「取出手段によって前記錠剤カセットから取り出され、さらに所定姿勢とされた錠剤シートをカッティングするカッティング手段」である限りにおいて共通する。
　
　したがって、本願発明と引用文献１発明とは、以下の点で一致しているということができる。 
＜一致点＞ 
「複数の錠剤カセットを搭載可能なカセット棚と、
　前記カセット棚に搭載された錠剤カセットから錠剤シートを取り出す取出手段と、
　前記取出手段によって前記錠剤カセットから取り出され、さらに所定姿勢とされた錠剤シートをカッティングするカッティング手段とを備えた、調剤装置。」 
　
　そして、本願発明と引用文献１発明とは、以下の２点で相違している。 
＜相違点１＞
　「取出手段によって錠剤カセットから取り出され、さらに所定姿勢とされた錠剤シートをカッティングするカッティング手段」に関し、
　本願発明は、（別途、姿勢制御手段を備えることを明示的に特定することによって、）取出手段によって錠剤カセットから取り出された錠剤シートの姿勢を制御する姿勢制御手段と、姿勢制御手段によって姿勢を制御された錠剤シートをカッティングするカッティング手段とを備えると特定しているのに対し、
　引用文献１発明は、チャック体Ｈ（取出手段）によって全数体収納部Ｓａ（錠剤カセット）から取り出され、所定姿勢で載置されたＰＴＰ包装薬剤の全数連結集合体Ｐａ（錠剤シート）を切離する切離部Ｃ（カッティングするカッティング手段）とを備えるものの、姿勢制御手段を備えているか明らかでない点。
＜相違点２＞
　本願発明においては、姿勢制御手段は、取出手段とともに、カセット棚の各錠剤カセットに対して移動するのに対し、引用文献１発明は、姿勢制御手段を備えているか明らかでない点。
第５　相違点の検討 
１　＜相違点１＞について
　まず、相違点１に係る本願発明の「取出手段によって錠剤カセットから取り出された錠剤シートの姿勢を制御する姿勢制御手段」、特に「姿勢制御手段」の技術的意義について検討する。
　上記「姿勢制御手段」に関連する本願明細書の記載としては、段落【０００８】〜【００１０】に本件請求項１と同様の文言の記載がある外は、「【００４１】そして、図８（ｂ）に示すように、支持部材４３５の後退が停止されることで、レール４４０ａ，４４０ｂの前後方向の中間位置に、前記チャック４３０でチャッキングされたＰＴＰ錠剤シート９００が位置決めされて水平となるような
姿勢制御
水平姿勢が得られる
　一方、本件出願の分割元である上記特願２０１２−２４５６４１号の補正後の請求項１の記載は「・・・錠剤カセットから取り出された錠剤シートを該取り出し側に移動した前記ガイド部材で案内することにより、該錠剤シートの姿勢を制御する姿勢制御手段」とされていることを踏まえれば、本願発明の「姿勢制御手段」は、ガイド部材で案内することと解釈する余地もあるが、本件において、明細書及び図面の記載に十分裏付けられているとは言い難く、これに限定されるとはいえない。
　いずれにせよ、本願発明の「姿勢制御手段」は、その内容が具体的でないから、技術的意義が極めて乏しいものといわざるを得ず、「取出手段」が通常の動作において行う動作を特に「姿勢制御手段」と特定しているに過ぎないものと解するのが適当である。
　そうすると、引用文献１発明は、チャック体Ｈ（取出手段）によって全数体収納部Ｓａ（錠剤カセット）から取り出されたＰＴＰ包装薬剤の全数連結集合体Ｐａ（錠剤シート）を所定姿勢で載置するのであるから、チャック体Ｈ（取出手段）が本願発明でいうところの「姿勢制御手段」を備えているということができ、相違点１は実質的な差異ではないというべきである。
　仮に、実質的な差異であるとしても、次に述べるように当該事項は引用文献２に記載された事項にに過ぎない。すなわち、上記第３の２（２）にて述べたように、引用文献２事項は、「・・・ＰＴＰ錠剤シートを取り出すヘツド４００・・・調剤装置において、前記ヘツド４００は、ヘツド４００によって前記錠剤ケース２００から取り出されたＰＴＰ錠剤シートを回転駆動や掴み直しをする手段を備え・・・」というものであるところ、引用文献２事項は、取出し手段たる「ヘツド４００」において、調剤シートに対して「回転駆動や掴み直しをする手段」を備えるのであるから、本願発明における「姿勢制御手段」に相当するものを備えているということができる。そして、かかる引用文献２事項を同じ技術分野の引用文献１発明に適用して、チャック体Ｈ（取出手段）に「姿勢制御手段」を備えさせることとし、相違点１に係る本願発明の構成とすることは、当業者にとって格別困難ではない。
２　＜相違点２＞について
　上記第３の２（２）にて述べたように、引用文献２事項は、「複数の錠剤ケース２００を搭載可能なケース棚１０５と、前記ケース棚１０５に搭載された錠剤ケース２００からＰＴＰ錠剤シートを取り出すヘツド４００とを備える調剤装置において、前記ヘツド４００は、ヘツド４００によって前記錠剤ケース２００から取り出されたＰＴＰ錠剤シートを回転駆動や掴み直しをする手段を備え、前記ヘツド４００は、前記ケース棚１０５の各錠剤ケース２００に対して移動すること。」というものであるところ、これを本願発明の用語で表現すれば、引用文献２事項の「錠剤ケース２００」は「錠剤カセット」と表現でき、以下同様に、「ケース棚１０５」は「カセット棚」と、「ＰＴＰ錠剤シート」は「錠剤シート」と、「ヘツド４００」は「取出手段」と、表現できる。
　したがって、引用文献２事項は、「複数の錠剤カセットを搭載可能なカセット棚と、前記カセット棚に搭載された錠剤カセットから錠剤シートを取り出す取出手段とを備える調剤装置において、前記取出手段は、取出手段によって前記錠剤カセットから取り出された錠剤シートを回転駆動や掴み直しをする手段を備え、前記取出手段は、前記カセット棚の各錠剤カセットに対して移動すること。」と言い改めることができる。 
　ここで、引用文献１発明と引用文献２事項は、いずれも、調剤装置である点で技術分野が共通しており、引用文献２に接した当業者がこれを引用文献１発明に適用することを試みることに格別困難性はない。
　そうした場合、引用文献２事項を適用した引用文献１発明においては、“錠剤シートを回転駆動や掴み直しをする手段を備える取出手段”がカセット棚の各錠剤カセットに対して移動することとなるが、該“錠剤シートを回転駆動や掴み直しをする手段を備える取出手段”は、本願発明でいうところの「姿勢制御手段」を備えた取出手段と同等なものいえる。
　そうしてみると、引用文献１発明に引用文献２事項を適用して、「姿勢制御手段」を備えた取出手段が、カセット棚の各錠剤カセットに対して移動することとし、相違点２に係る本願発明の構成とすることは、当業者が容易に推考し得たものというのが相当である。
３　小括
　したがって、本願発明は、引用文献１発明、引用文献２事項に基づいて当業者が容易に発明をすることができたものである。 
第６　むすび 
　以上のとおり、本願発明は、引用文献１発明、引用文献２事項に基づいて、当業者が容易に発明をすることができたものであって、特許法第２９条第２項の規定により特許を受けることができないものであるから、本願は拒絶されるべきものである。 
　よって、結論のとおり審決する。